(57)【要約】【課題】高層ビル用のエレベーターシステムを提供する。【解決手段】本発明によるエレベーターシステムは、設備電気機器を含むエレベーターかごと、エレベーターかごが移動する昇降路と、昇降路の壁に又はその中に結合された電気供給源及び流体供給源と、エレベーターかごと昇降路の壁とに結合された移動ケーブルと、移動ケーブルの揺れ振幅を検出するセンサシステムと、センサシステムと流体供給源とに結合され処理及び制御ユニットを含む。移動ケーブルは、ダクトを有し、ダクトの開放した第１の端部は、流体供給源に結合される。処理及び制御ユニットは、揺れ振幅データをセンサシステムから受信し、揺れ振幅が予め決められた閾値を超えるとき、流体供給源を作動させる【選択図】図１
2020121885.tif 000002
【特許請求の範囲】
【請求項１】
エレベーターシステム（１００）であって、
１又は２以上の設備電気機器を含むエレベーターかご（１１０）と、
エレベーターかご（１１０）が移動する昇降路（２００）と、
昇降路の壁（２１０）に又はその中に結合された電気供給源（１７０）及び流体供給源（１８０）と、
エレベーターかご（１１０）と昇降路の壁（２１０）とに結合された移動ケーブル（３００）と、
移動ケーブル（３００）の揺れ振幅を検出するように構成されたセンサシステム（４１０、４２０、４３０、４４０）と、
センサシステム（４１０、４２０、４３０、４４０）と流体供給源（１８０）とに結合された処理及び制御ユニット（５００）と、を有し、
移動ケーブルは、導電体及び／又はデータキャリア（３１０）を含み、導電体及び／又はデータキャリア（３１０）の第１の端部は、電気供給源（１７０）に結合され、導電体及び／又はデータキャリア（３１０）の第２の端部は、エレベーターかご（１１０）の設備電気機器に作動的に結合され、
移動ケーブルは、更に、導電体及び／又はデータキャリア（３１０）を包囲する保護層（３４０）を有し、保護層（３４０）は、外径を有し、
移動ケーブルは、更に、ダクト（３２０）を有し、ダクト（３２０）の開放した第１の端部は、流体供給源（１８０）に結合され、ダクト（３２０）の開放可能な第２の端部は、エレベーターかご（１１０）に結合され、
処理及び制御ユニット（５００）は、揺れ振幅データをセンサシステム（４１０、４２０、４３０、４４０）から受信し、揺れ振幅が予め決められた閾値を超えるとき、流体供給源（１８０）を作動させるように構成される、エレベーターシステム（１００）。
【請求項２】
移動ケーブル（３００）の保護層（３４０）は、前記ダクト（３２０）を包囲する、請求項１に記載のエレベーターシステム（１００）。
【請求項３】
移動ケーブル（３００）は、保護層（３４０）と前記ダクト（３２０）を包囲するジャケット（３５０）を含む、請求項１に記載のエレベーターシステム（１００）。
【請求項４】
移動ケーブル（３００）は、内径を有するジャケット（３５０）と、ジャケットの内径と保護層（３４０）の外径との間の隙間を含み、前記隙間は、前記ダクト（３２０）を構成する、請求項１に記載のエレベーターシステム（１００）。
【請求項５】
センサシステム（４１０、４２０、４３０、４４０）は、移動ケーブル（３００）の中に含まれる感知ツール（４１０）を含み、感知ツール（４１０）は、光学機器（４２０）に作動的に結合され、光学機器（４２０）は、エレベーターかご（１１０）又は昇降路の壁（２１０）に又はその中に結合される、請求項１に記載のエレベーターシステム（１００）。
【請求項６】
感知ツール（４１０）は、保護層（３４０）によって包囲される、請求項５に記載のエレベーターシステム（１００）。
【請求項７】
光学機器（４２０）は、流体供給源（１８０）及び電気供給源（１７０）の近くの位置に設けられる、請求項５に記載のエレベーターシステム（１００）。
【請求項８】
処理及び制御ユニット（５００）は、光学機器（４２０）に結合される、請求項５に記載のエレベーターシステム（１００）。
【請求項９】
センサシステム（４１０、４２０、４３０、４４０）は、位置監視システムを含み、位置監視システムは、エレベーターかご（１１０）又は昇降路（２００）に結合された１又は２以上のカメラ（４３０）を含む、請求項１に記載のエレベーターシステム（１００）。
【請求項１０】
センサシステム（４１０、４２０、４３０、４４０）は、複数のレーザ遠隔測定器（４４０）を含むレーザ式位置監視システムを含み、レーザ遠隔測定器（４４０）は、エレベーターかご（１１０）及び／又は昇降路（２００）に結合される、請求項１に記載のエレベーターシステム（１００）。
【請求項１１】
レーザ遠隔測定器（４４０）は、昇降路の床に面するエレベーターかご（１１０）の外側の底部に、又は、エレベーターかご（１１０）の正射影内の昇降路の床に、実質的に円形のアレイをなして位置決めされる、請求項１０に記載のエレベーターシステム（１００）。
【請求項１２】
更に、補助流体供給源（１９０）を含み、補助流体供給源（１９０）は、エレベーターかご（１１０）に又はその中に結合され、ダクト（３２０）の開放可能な第２の端部と処理及び制御ユニット（５００）に作動的に結合される、請求項１に記載のエレベーターシステム（１００）。
【請求項１３】
エレベーターシステム（１００）の移動ケーブル（３００）の揺れ振幅を減衰させる方法であって、
エレベーターかご（１１０）を、少なくとも１つの壁（２１０）を有する昇降路（２００）内に設ける段階と、
昇降路の壁（２１０）に又はその中に結合された電気供給源（１７０）及び流体供給源（１８０）を準備する段階と、
エレベーターかご（１１０）と昇降路の壁（２１０）とに結合された移動ケーブル（３００）を準備する段階と、を含み、
移動ケーブル（３００）は、導電体及び／又はデータキャリア（３１０）を含み、導電体及び／又はデータキャリア（３１０）の第１の端部は、電気供給源（１７０）に作動的に結合され、導電体及び／又はデータキャリア（３１０）の第２の端部は、エレベーターかご（１１０）の設備電気機器に作動的に結合され、
移動ケーブル（３００）は、更に、導電体及び／又はデータキャリア（３１０）を包囲する保護層（３４０）と、ダクト（３２０）を含み、ダクト（３２０）の開放した第１の端部は、流体供給源（１８０）に結合され、ダクト（３２０）の開放可能な第２の端部は、エレベーターかご（１１０）に結合され、
更に、エレベーターかご（１１０）及び／又は昇降路（２００）に結合されたセンサシステム（４１０、４２０、４３０、４４０）を準備する段階と、
センサシステム（４１０、４２０、４３０、４４０）と流体供給源（１８０）とに結合された処理及び制御ユニット（５００）を準備する段階と、
移動ケーブル（３００）の揺れ振幅の閾値を設定する段階と、
移動ケーブル（３００）の揺れ振幅をセンサシステム（４１０、４２０、４３０、４４０）によって検出する段階と、
揺れ振幅のデータをセンサシステム（４１０、４２０、４３０、４４０）から処理及び制御ユニット（５００）に送信する段階と、
揺れ振幅が前記閾値を超えたとき、移動ケーブルの揺れ振幅が前記閾値よりも小さくなるように戻るまで、移動ケーブル（３００）の前記ダクト（３２０）を加圧するように流体供給源（１８０）を作動させる段階と、を含む方法。
【発明の詳細な説明】
【技術分野】
【０００１】
本開示は、特に高層ビルのための、エレベーターシステムに関する。
【背景技術】
【０００２】
既知のように、エレベーターシステムは、一般的には、昇降ケーブルを介して釣合い重りに結合されたエレベーターかごを有する。昇降ケーブルは、昇降路の一番上に通常は配置された滑車又は滑車システムを通り、モータが設けられ、モータは、滑車又は滑車システムを作動させることによって、昇降ケーブルを介してエレベーターかごを上方又は下方に移動させる。昇降ケーブルは、普通、１又は２以上のステンレスのロープ又はベルトによって作られる。
【０００３】
一般的には、エレベーターシステムはまた、電力及びデータ信号をエレベーターかごに送るための移動ケーブルを含む。特に、移動ケーブルは、エレベーターかごの設備電気機器のための電力を送ることができ、かかる設備電気機器は、例えば、照明デバイス、ディスプレイ、インターホン、空調デバイス、及び換気システムである。エレベーターかごの「設備用電気機器」は、エレベーターかごの移動に関わらない全ての電気機器を意味する。移動ケーブルは、普通、導電体及び／又は光ファイバ等のデータキャリアを収容するシースで作られ、選択的には、シースは、絶縁層によって被覆される。
【０００４】
移動ケーブルは、普通、一方の端部のところでエレベーターかごに固定され、他方の端部のところで配電スポットに固定され、配電スポットは、昇降路の１つの側壁に、例えば昇降路の長手方向長さに対する中間位置に配置される。移動ケーブルは、エレベーターかごの移動に従って、曲がったり延びたりする。
【先行技術文献】
【特許文献】
【０００５】
【特許文献１】中国特許第１０１５４９８１６号
【発明の概要】
【発明が解決しようとする課題】
【０００６】
より高いビルのための増大した要望に鑑みて、エレベーターシステムを製造する際の新しい課題、特に移動ケーブルに関する課題が存在する。
【０００７】
特に高層ビル用のエレベーターのための移動ケーブルは、その揺れに起因する問題が発生することがある。
【０００８】
高層ビル用のエレベーターシステムでは、エレベーターかごは、非常に高速で、例えば約１０ｍ／ｓで移動することがある。エレベーターかごの加速度及び速度により、強い乱流を昇降路の壁内に発生させることがある。かかる乱流だけでなく（例えば、厳しい天候条件又は地震の場合の）ビル運動により、エレベーターかごと昇降路の壁の間で自由に垂れ下がっている移動ケーブルを振動させることがある。
【０００９】
（特に平らな時の）ケーブルの形態及び／又はケーブルの長さに依存して、振動（すなわち、揺れ）は、大きい振幅を発生させることがあり、これにより、移動ケーブルを昇降路突部とからませ、及び／又は、例えば昇降路の壁と擦れることによって摩耗する現象が生じることがある。
【００１０】
移動ケーブルが壁と擦れたり昇降路内の要素に引掛かったりすると、移動ケーブルは、急速に劣化して、交換することが必要になり、それにより、維持費が増大する。
【００１１】
更に、移動ケーブルは、普通、作動サイクルの範囲で耐えるように設計されるので、振動によって与えられる追加の急速な変形により、疲労に関連した問題を生じさせることがある。
【００１２】
上述した理由により、特に高層ビル用のエレベーターシステムは、移動ケーブルの揺れを防止するシステムを必要としている。
【００１３】
特許文献１は、移動ケーブルのための揺れ減衰装置を開示し、この揺れ減衰装置では、移動ケーブルは、可撓性の中空チューブと一体的に取付けられる。液体又は粉末が、中空チューブ内に密封され、移動ケーブルのＵ字形曲げ部分に留まるようにされている。
【課題を解決するための手段】
【００１４】
本出願人は、特に超高速ビル用のエレベーターシステムの移動ケーブルに起こりうる揺れを制限する問題に直面した。
【００１５】
本出願人は、移動ケーブルの可撓性を変更することによって、特に、選択された揺れ振幅に応答して移動ケーブルを硬化させることによって、移動ケーブルの揺れを減衰させることができることを見出した。
【００１６】
このとき、本出願人は、ダクトを移動ケーブル内に設けること、及び、ダクトを加圧するように作動すべき流体供給源にダクトを結合することを認識した。
【００１７】
ケーブルダクトの加圧は、移動ケーブルの振動特性を変化させ、特に、許容限界を超える移動ケーブルの揺れを引き起こす励起振動モードを減衰させる。
【００１８】
更に、本出願人は、移動ケーブルの揺れを検出することができる感知システム有するエレベーターシステムを提供することを考えた。この場合、感知システムの検出に基づいて、流体供給源の作動、従って、移動ケーブルの剛性及び揺れ程度を制御することが可能である。
【００１９】
従って、第１の実施形態によれば、本開示は、エレベーターシステムに関し、かかるエレベーターシステムは、１又は２以上の設備電気機器を含むエレベーターかごと、エレベーターかごが移動する昇降路と、昇降路の壁に又はその中に結合された電気供給源及び流体供給源と、エレベーターかごと昇降路の壁とに結合された移動ケーブルと、移動ケーブルの揺れ振幅を検出するように構成されたセンサシステムと、センサシステム及び流体供給源に結合された処理及び制御ユニットと、を有し、移動ケーブルは、導電体及び／又はデータキャリアを含み、導電体及び／又はデータキャリアの第１の端部は、電気供給源に結合され、導電体及び／又はデータキャリアの第２の端部は、エレベーターかごの設備電気機器に作動的に結合され、移動ケーブルは、更に、導電体及び／又はデータキャリアを包囲する保護層を有し、保護層は、外径を有し、移動ケーブルは、更に、ダクトを有し、ダクトの開放した第１の端部は、流体供給源に結合され、ダクトの開放可能な第２の端部は、エレベーターかごに結合され、処理及び制御ユニットは、揺れ振幅データをセンサシステムから受信し、揺れ振幅が予め決められた閾値を超えるとき、流体供給源を作動させるように構成される。
【００２０】
本願の明細書及び特許請求の範囲において、「電気供給源」は、電流及び／又はデータを供給する供給源を意味する。
【００２１】
第２の側面では、本開示は、エレベーターシステムの移動ケーブルの揺れ振幅を減衰させる方法に関し、かかる方法は、エレベーターかごを、少なくとも１つの壁を有する昇降路内に設ける段階と、昇降路の壁に又はその中に結合された電気供給源及び流体供給源を準備する段階と、エレベーターかごと昇降路の壁とに結合された移動ケーブルを準備する段階と、を含み、移動ケーブルは、導電体及び／又はデータキャリアを含み、導電体及び／又はデータキャリアの第１の端部は、電気供給源に作動的に結合され、導電体及び／又はデータキャリアの第２の端部は、エレベーターかごの設備電気機器に作動的に結合され、移動ケーブルは、更に、導電体及び／又はデータキャリアを包囲する保護層と、ダクトを含み、ダクトの開放した第１の端部は、流体供給源に結合され、ダクトの開放可能な第２の端部は、エレベーターかごに結合され、更に、エレベーターかご及び／又は昇降路に結合されたセンサシステムを準備する段階と、センサシステムと流体供給源とに結合された処理及び制御ユニットを準備する段階と、移動ケーブルの揺れ振幅の閾値を設定する段階と、移動ケーブルの揺れ振幅をセンサシステムによって検出する段階と、揺れ振幅のデータをセンサシステムから処理及び制御ユニットに送信する段階と、揺れ振幅が前記閾値を超えたとき、移動ケーブルの揺れ振幅が前記閾値よりも小さくなるように戻るまで、移動ケーブルのダクトを加圧するように流体供給源を作動させる段階と、を含む。
【００２２】
本開示のエレベーターシステムでは、移動ケーブルに含まれるデータキャリアは、銅線であってもよいし、光ファイバ（１又は２以上の保護層によって包囲された光導波路）であってもよいし、その両方であってもよい。
【００２３】
本開示のエレベーターシステムでは、移動ケーブルは、１又は２以上のダクトを含むのがよい。
【００２４】
１つの実施形態では、移動ケーブルの保護層は、チューブの形態のダクトを包囲する。
【００２５】
変形実施形態では、移動ケーブルは、保護層とチューブの形態のダクトを包囲するジャケットを含む。
【００２６】
これらの実施形態は、移動ケーブルと電気供給源及び流体供給源との結合を容易にする。
【００２７】
更なる実施形態では、移動ケーブルは、ジャケットを有し、ジャケットの内径と保護層の外径との間の隙間がダクトを構成する。
【００２８】
この場合、ダクトの加圧による移動ケーブルの可撓性の変化は非常に速く、その理由は、ダクトが、保護層の断面を包み込む断面を有するからである。
【００２９】
本開示のエレベーターシステムでは、導電体及び／又はデータキャリアを電気供給源に結合させる移動ケーブルの第１の端部は、流体供給源に結合されたダクトの開放した第１の端部に隣接しているが、作動的に分離される。同様に、エレベーターかごの設備電気機器に作動的に結合された移動ケーブルの第２の端部は、ダクトの開放可能な第２の端部に隣接しているが、作動的に分離される。
【００３０】
１つの実施形態では、センサシステムは、感知ツールを含み、感知ツールは、例えば保護層内の、移動ケーブル内に設けられた例えば光ファイバ形状センサの形態をなし、また、移動ケーブルの変形を検出するために、エレベーターかご又は昇降路の壁に又はその中に結合された光学機器に作動的に結合される。センサシステムのこの形態は、取付けるのに容易であり、その理由は、感知ツールが移動ケーブル内に直接に含まれ、従って、光学機器を、例えば昇降路の壁に取付けるだけでよいからである。１つの実施形態では、光学機器は、流体供給源及び電気供給源の近くの位置に取付けられる。
【００３１】
１つの実施形態では、流体供給源及び電気供給源は、エレベーターかごの走路のほぼ中間に取付けられる。
【００３２】
この実施形態によれば、処理及び制御ユニットは、光学機器に結合され、この実施形態では、処理及び制御ユニットは、揺れ振幅によって生じ且つ光ファイバ形状センサ及び光学機器によって検出された移動ケーブルの変形（捻り、伸び等）に基づいて、流体供給源を作動させる（又はさせない）ようにプログラムされる。
【００３３】
変形実施形態では、センサシステムは、位置監視システムを含み、位置監視システムは、エレベーターかご又は昇降路に結合された１又は２以上のカメラを含む。カメラは、昇降路の長手方向軸線を横断する平面における移動ケーブルの変位を検出するように位置決めされる。
【００３４】
この場合、処理及び制御ユニットは、揺れ振幅が閾値を超えたことを決定し且つそれに従って流体供給源を作動させる（又はさせない）ために、カメラによって取得した画像を処理するようにプログラムされる。
【００３５】
更なる変形実施形態では、センサシステムは、レーザ式監視システムを含み、レーザ式監視システムは、エレベーターかご及び／又は昇降路、例えば昇降路の底部に結合された複数のレーザ遠隔測定器を含む。
【００３６】
１つの実施形態では、複数のレーザ遠隔測定器は、昇降路の床に面するエレベーターかごの外側底部又はエレベーターかごの正射影内の昇降路の床の中又は上に、実質的に円形のアレイをなして位置決めされる。レーザ遠隔測定器は、第１の端部から第２の端部に向かう移動ケーブルの通常の経路を妨害することを回避するように、且つ、予め決められた閾値よりも小さい任意の揺れ振幅を妨害することを回避するように位置決めされるべきである。
【００３７】
この場合、処理及び制御ユニットは、レーザ遠隔測定器によって検出された移動ケーブルの変位に基づいて、揺れ振幅を決定するようにプログラムされる。
【００３８】
このように、揺れ振幅の検出は、非常に正確である。
【００３９】
１つの実施形態では、エレベーターシステムは、補助流体供給源を含み、補助流体供給源は、エレベーターかごに又はその中に結合され、移動ケーブルのダクトの開放可能な第２の端部及び処理及び制御ユニットに作動的に結合され、処理及び制御ユニットは、流体供給源と補助流体供給源の組合せ作用によってダクトを加圧するために、補助流体供給源を作動させるように構成される。
【００４０】
本明細書及び特許請求の範囲において、他の指示がない限り、量、分量、及び百分率などを表す全ての数は、全ての事例において、用語「約」によって修正されるとして理解すべきである。また、全ての範囲は、開示された最大点及び最小点の任意の組合せを含み、且つ、その任意の中間範囲を含み、かかる中間範囲は、具体的に列挙されることもあるし、そうでないこともある。
【００４１】
また、用語「ａ」及び「ａｎ」は、開示の要素及び構成要素を説明するのに使用される、これは、単に便宜的にかつ開示の一般的な意味を与えるために行われる。本明細書は、１つ又は少なくとも１つを含むように読まれるべきであり、単数形は、それが他のことを意味することが明らかでない限り複数形を含む。
【００４２】
更なる特徴は、添付図面を参照する以下の詳細な説明から明らかであろう。
【図面の簡単な説明】
【００４３】
【図１】本開示の第１の実施形態によるエレベーターシステムの概略図である。
【図２】本開示の第２の実施形態によるエレベーターシステムの概略図である。
【図３】Ａは、本開示の第３の実施形態によるエレベーターシステムの概略図であり、Ｂは、エレベーターかごの底部からの本開示の第３の実施形態の図である。
【図４】本開示の第４の実施形態によるエレベーターシステムの概略図である。
【図５ａ】本開示によるエレベーターシステムに含まれる移動ケーブルの概略的な断面図である。
【図５ｂ】本開示によるエレベーターシステムに含まれる別の移動ケーブルの概略的な断面図である。
【図５ｃ】本開示によるエレベーターシステムに含まれる別の移動ケーブルの概略的な断面図である。
【図５ｄ】本開示によるエレベーターシステムに含まれる別の移動ケーブルの概略的な断面図である。
【発明を実施するための形態】
【００４４】
本開示によるエレベーターシステム１００を図１〜図４に示す。
【００４５】
エレベーターシステム１００は、エレベーターかご１１０と、エレベーターかご１１０が移動することができる昇降路２００と、釣合い重り１２０と、エレベーターかご１１０を釣合い重り１２０に結合する昇降ケーブル１３０と、エレベーターかご１１０と昇降路の壁２１０に結合された移動ケーブル３００を含む。
【００４６】
特に、昇降ケーブル１３０は、通常は昇降路２００のいちばん上に配置された滑車又は滑車システム１４０を通過する。滑車又は滑車システム１４０は、それを作動させるモータ１５０に作動的に結合され、エレベーターかご１１０を昇降ケーブル１３０によって上方又は下方に移動させる。
【００４７】
モータ１５０は、コントローラ１６０に作動的に結合され、コントローラ１６０は、例えばエレベーターかご１１０の呼出しボタンを押すことによって、ユーザが発生させた指令信号に従ってモータ１５０を作動させるように構成される。
【００４８】
エレベーターかご１１０は、１又は２以上の設備電気機器を含み、かかる設備電気機器は、例えば、１又は２以上の照明機器、１又は２以上のディスプレイ、インターホン、空調システム、及び換気システムである。
【００４９】
電気供給源１７０及び流体供給源１８０は、昇降路の壁２１０に又はその中に結合される。特に、電気供給源１７０及び流体供給源１８０は、移動ケーブル３００の結合箇所のところで互いに近くに位置決めされる。
【００５０】
電気供給源１７０は、エレベーターかご１１０の１又は２以上の設備電気機器のための電力を供給するのに適しているのがよい。例えば、電気供給源１７０は、１ｋＷ、３ｋＷ、又は８ｋＷまでの電力を供給するのに適している。これに加えて又はこれに代えて、電気供給源１７０は、エアコンを調節するための温度値等のデータ、及びエレベーターかごの作動のための技術情報を供給してもよい。
【００５１】
流体供給源１８０は、液体を収容するタンク又は給水システムに結合されたポンプ、であってもよいし、圧縮機であってもよい。
【００５２】
図５ａ〜図５ｄに示すように、移動ケーブル３００は、２つの導電体及び／又はデータキャリア（例えば、光ファイバ）３１０と、ダクト３２０を含む。導電体及び／又はデータキャリア３１０の第１の端部は、電気供給源１７０に作動的に結合され、導電体及び／又はデータキャリア３１０の第２の端部は、エレベーターかご１１０の１又は２以上の設備電気機器に作動的に結合される。このように、移動ケーブル３００は、電力／データを電気供給源１７０からエレベーターかご１１０の１又は２以上の設備電気機器に供給する。
【００５３】
ダクト３２０の開放した第１の端部は、流体供給源１８０に作動的に結合され、ダクト３２０の開放可能な第２の端部は、エレベーターかご１１０に作動的に結合される。
【００５４】
図５ａ〜図５ｄは、本開示による移動ケーブルの４つの異なる実施形態を示す。
【００５５】
図５ａの移動ケーブル３００では、ダクト３２０は、導電体及び／又はデータキャリア３１０と一緒に、保護層３４０内に収容される。この実施形態では、光ファイバ形状センサの形態の感知ツール４１０も、保護層３４０内に存在する。
【００５６】
図５ｂの移動ケーブル３００では、ジャケット３５０が、ダクト３２０を包囲すると共に、導電体及び／又はデータキャリア３１０を包囲する保護層３４０も包囲する。この実施形態では、光ファイバ形状センサの形態の感知ツール４１０も保護層３４０内に存在する。
【００５７】
図５ａ及び図５ｂの実施形態では、ダクト３２０はチューブであるが、図５ｃの移動ケーブル３００では、ダクト３２０は、ジャケット３５０とジャケット３５０が包囲している保護層３４０の間の隙間である。この実施形態では、光ファイバ形状センサの形態の感知ツール４１０も保護層３４０内に存在する。
【００５８】
図５ｄは、本開示のシステムのための平らな移動ケーブル３００を概略的に示す。この移動ケーブル３００では、２つのダクト３２０が存在し、２つのダクト３２０は、導電体及び／又はデータキャリア３１０と一緒に、保護層３４０内に収容されている。
【００５９】
図１〜図４を参照すると、流体供給源１８０は、移動ケーブル３００内のダクト３２０に作動的に結合され、ダクト３２０を加圧するように作動される。
【００６０】
図４から分るように、エレベーターシステム１００はまた、エレベーターかご１１０に又はその中に結合された補助流体供給源１９０を含んでもよく、補助流体供給源１９０は、液体を収容するタンクに結合されたポンプであってもよいし、圧縮機であってもよい。ダクト３２０の開放可能な第２の端部は、補助流体供給源１９０に作動的に結合され、ダクト３２０は、２つの流体供給源１８０、１９０の組合せ作用によって加圧される。
【００６１】
エレベーターシステム１００は、更に、エレベーターかご１１０及び／又は昇降路２００に結合されたセンサシステムを含み、かかるセンサシステムは、移動ケーブル３００の揺れを検出するように構成される。
【００６２】
図１に示す実施形態によれば、センサシステムは、移動ケーブル３００の中に含まれる感知ツール４１０を含み（図５ａ〜図５ｃを参照）、感知ツール４１０は、光学機器４２０に作動的に結合される。光学機器４２０は、エレベーターかご１１０又は昇降路の壁２１０に又はその中に設けられ、移動ケーブル３００の結合点のところに位置決めされる。
【００６３】
光学機器４２０は、例えば、光スペクトル分析器である。
【００６４】
光ファイバ形状センサの形態の感知ツールは、光ファイバであり、光ファイバは、ブラッグ格子構造をその長手方向軸線に沿って有する。かかる感知ツールにより、移動ケーブルの変形を検出し、その結果、移動ケーブルの揺れの振幅を推定することを可能にする。
【００６５】
変形例として、図２に示すように、センサシステムは、位置監視システムを含み、位置監視システムは、エレベーターかご１１０及び／又は昇降路２００に結合された１又は２以上のカメラ４３０を含む。例えば、カメラ４３０は、移動中の移動ケーブル３００の画像を取得するために、昇降路２００の床の上に位置決めされてもよいし、エレベーターかご１１０の底部に位置決めされてもよい。
【００６６】
別の変形例として、図３に示すように、センサシステムは、複数のレーザ遠隔測定器４４０を含むレーザ式位置監視システムを含み、複数のレーザ遠隔測定器４４０は、エレベーターかご１１０及び／又は図３に示すように昇降路２００の床の中又は上に結合され、昇降路２００の長手方向軸線を横断する平面内の移動ケーブル３００の変位を検出するように位置決めされる。
【００６７】
図３Ｂは、エレベーターかご１１０の底部から見た、かかるレーザ遠隔測定器システムの仮想図であり、かかるレーザ遠隔測定器システムでは、複数のレーザ遠隔測定器４４０がエレベーターかご１１０の正射影内に位置決めされる。移動ケーブルの突出部３００ａの領域並びにそれを包囲する領域には、予め決められた揺れ振幅閾値よりも小さい振幅を有する移動ケーブルの揺れを妨害することを回避する程度（この場合、矢印線Ａで示す程度）で、レーザ遠隔測定器４４０がない。
【００６８】
図１〜図４から分るように、エレベーターシステム１００は、センサシステム及び流体供給源１８０に結合された処理及び制御ユニット５００、例えばマイクロプロセッサを含み、処理及び制御ユニット５００は、予め決められた閾値を超える揺れ振幅を検出し、引き続いて、移動ケーブル揺れを予め決められた閾値よりも小さい振幅に減衰させるために、ダクト３２０を加圧するように流体供給源１８０を作動させるように構成される。エレベーターシステム１００が補助流体供給源１９０も有する場合、処理及び制御ユニット５００はまた、例えばｗｉ−ｆｉ信号又は移動ケーブルの導電体／データキャリアによって、補助流体供給源１９０に作動的に接続され、ダクト３２０を流体供給源１８０、１９０の組合せ作用によって加圧するように補助流体供給源１９０の作動を制御する。
【００６９】
「揺れ振幅」は、昇降路の長手方向軸線を横断する平面上における，移動ケーブル３００とエレベーターかご１１０の結合箇所の正射影と、移動ケーブル３００の曲げ箇所の正射影との間の距離を意味する。
【００７０】
処理及び制御ユニット５００は、特に、センサシステム構成要素４１０、４２０、４３０、４４０の検出を受信し且つ処理し、移動ケーブルの揺れの振幅の値を取得するようにプログラムされる。
【００７１】
特に、図１の実施形態では、処理及び制御ユニット５００は、光学機器４２０に接続され、光学機器４２０によって検出された感知ツール４１０の変形に基づいて、揺れ振幅を決定するようにプログラムされる。
【００７２】
図２の実施形態では、処理及び制御ユニット５００は、揺れ振幅を決定するためのカメラ４３０によって取得した画像を処理するようにプログラムされる。
【００７３】
図３の実施形態では、処理及び制御ユニット５００は、レーザ遠隔測定器４４０によって検出された移動ケーブル３００の変位に基づいて、揺れ振幅を決定するようにプログラムされる。
【００７４】
いずれの場合でも、予め決められた閾値、並びに、流体供給源１８０の制御の仕方、最終的には、補助流体供給源１９０の制御の仕方は、エレベーターシステムの試運転の前又は後に、ユーザによって端末を介して設定される。
【符号の説明】
【００７５】
１００  エレベーターシステム
１１０  エレベーターかご
１７０  電気供給源
１８０  流体供給源
１９０  補助流体供給源
２００  昇降路
２１０  昇降路の壁
３００  移動ケーブル
３１０  導電体及び／又はデータキャリア
３２０  ダクト
３４０  保護層
３５０  ジャケット
４１０  感知ツール（センサシステム）
４２０  光学機器（センサシステム）
４３０  カメラ（センサシステム）
４４０  レーザ遠隔測定器（センサシステム）
５００  処理及び制御ユニット
【図１】
2020121885.tif 000003
【図２】
2020121885.tif 000004
【図３】
2020121885.tif 000005
【図４】
2020121885.tif 000006
【図５ａ】
2020121885.tif 000007
【図５ｂ】
2020121885.tif 000008
【図５ｃ】
2020121885.tif 000009
【図５ｄ】
2020121885.tif 000010
【外国語明細書】
2020121885000001.pdf